(57)【要約】      （修正有）【課題】生産性良好に大量生産可能で、かつ、強度的にも優れたＦＲＰ成形品を成形することができる新規なＦＲＰのプレス成形法を提供すること。【解決手段】雄雌型１２、１４からなる成形型（附形型）を用いて行う繊維強化プラスチック（ＦＲＰ）のプレス成形法。当該プレス成形法は、1)複数枚積層された所定大きさの積層プリプレグ３０を、予備加熱された成形型１２、１４の雄型１４にセットする第一工程、2)前記成形型１２、１４を型閉完了前から型内を排気しながら型閉して、気泡を余剰樹脂とともに追い出し附形する第二工程、及び、3)成形型１２、１４を硬化温度まで昇温させて、所定時間保持して硬化完了後、離型する第三工程、からなる。【選択図】図７
2009292054.tif 000002
【特許請求の範囲】
【請求項１】
雌雄型からなる成形型（附形型）を用い、下記工程を経てＦＲＰ（繊維強化プラスチック）型材を成形することを特徴とするＦＲＰプレス成形法。
1)１枚の又は複数枚積層された所定大きさの積層プリプレグ（含浸積層平板）を、予備加熱された前記成形型の雄型又は雌型の一方にセットする。
2)前記成形型を型閉完了前から型内を排気しながら型閉して、気泡を余剰樹脂とともに追い出し附形する。
3)前記成形型を硬化温度まで昇温させて、所定時間保持して硬化完了後、離型する。
【請求項２】
前記積層プリプレグの調製を、多数枚を複数組毎に分けて組み供給した後、樹脂を減圧下で含浸させて多段で行うことを特徴とする請求項１記載のＦＲＰプレス成形法。
【請求項３】
前記成形型の予備加熱及び前記成形型の硬化温度までの昇温を誘導加熱により行うことを特徴とする請求項１記載のＦＲＰプレス成形法。
【請求項４】
前記ＦＲＰ型材が溝型材（Ｃ型材）である場合において、該溝型材の底辺が中心線に向かって内側へ突出するように傾斜させた断面で附形しておき、離型直後に前記傾斜を戻して抜き勾配を補完して前記溝型材の底辺とその両側の立辺とが直角となるような断面形状を前記溝型材が有するようにしたことを特徴とする請求項１記載のＦＲＰプレス成形法。
【請求項５】
前記溝型材の立辺の端部が抜き勾配以上に外側へ傾斜して附形される端末傾斜部が形成され、該溝型材がＦＲＰ構造材の一要素として他の要素の面状部に該端末傾斜部が機械結合により組み付けられるとき、前記端末傾斜部が反転して該Ｃ型材の立辺部が前記他の要素の面状部に圧接するようにしたことを特徴とする請求項４記載のＦＲＰプレス成形法。
【請求項６】
請求項１〜５のいずれかに記載のＦＲＰプレス成形法に使用するＦＲＰ用の雌雄型からなるＦＲＰ成形型であって、
前記雌雄型の周囲型閉じ部に1個の吸引孔又は複数個の吸引孔群を備え、該型閉じ部の内側に型閉じ完了前からシール可能な環状の立設シール部材を備え、更に、附形キャビティの外周に余剰樹脂溜り部を備えていることを特徴とするＦＲＰ成形型。
【請求項７】
前記請求項４又は５記載のＦＲＰのプレス成形法で成形したＦＲＰ溝型材を底辺側で背中合わせとし、背中合わせに配されたＦＲＰ溝型材の両側立辺相互を両側縁にリブを備えた帯状のＦＲＰカバー材で覆って組み付けられ、それらの部材相互間が接着一体化されていることを特徴とするＦＲＰ構造材。
【請求項８】
更に、前記背中合わせに配された溝型材の対面間に帯状のＦＲＰ芯材が配されて接着一体化されていることを特徴とする請求項７記載のＦＲＰ構造材。
【請求項９】
前記ＦＲＰ溝型材、前記ＦＲＰカバー材及び前記ＦＲＰ芯材相互間に、プリプレグで形成された接着剤層が介在していることを特徴とする請求項８記載のＦＲＰ構造材。
【請求項１０】
請求項９記載のＦＲＰ構造材を連結して連結ＦＲＰ構造材を製造する方法であって、前記ＦＲＰ芯材を長手方向に所定量ずつずらし、且つ、該ＦＲＰ芯材を介して前記ＦＲＰ構造材を相互に連結する工程を経て製造することを特徴とする連結ＦＲＰ構造材の製造方法。
【請求項１１】
請求項１０記載の連結ＦＲＰ構造材の製造方法であって、ＦＲＰ芯材が突出した成型後ＦＲＰ構造材の連結側を、型開状態の四方プレス型にセットし、更に、ＦＲＰ構造材の各構成要素をセットし、型閉じして、成型・接着を行うことを特徴とする連結ＦＲＰ構造材の製造方法。
【発明の詳細な説明】
【技術分野】
【０００１】
本発明は、繊維強化プラスチック（ＦＲＰ：Fiber Reinforced Plastics）の新規なプレス成形法及び該プレス成形で成形した成形品で構成される強化構造組体並びに前記プレス成形法に使用する成形型に関する。
【０００２】
特に、本発明は、橋梁、船舶、風車、水門等の海岸付近に設置される建造物の構造材として好適なＦＲＰ成形品のプレス成形法に係る。
【０００３】
ここでは、橋梁の構造材（型材）を例に採り説明する。他の構造材でも同様である。
【背景技術】
【０００４】
従来、橋梁は、鋼材やＰＣ（Pre-stressed Concrete）材を用いて建造したものが主流であった。
【０００５】
しかし、海岸付近では塩害により腐食が促進されるため塗装等のメインテナンス作業を頻繁に行う必要がある。
【０００６】
このため、主構造材として耐腐食性（耐塩害性）に優れているＦＲＰ成形品を使用することが考えられ、一部実用化されている。
【０００７】
例えば、沖縄県の左右に海岸線が接する伊計平良川線に架ける歩道橋として、日本で初めて、主構造材としてＦＲＰ構造材を用いたＦＲＰ橋が建設された（非特許文献１）。
【０００８】
ＦＲＰ成形品の成形法は、真空成形法又は雌雄型を使用するプレス成形（圧縮成形）法が主流である。
【０００９】
真空成形法の代表的なものの一つとして真空バッグ法がある（非特許文献２、ｐ34等）。同文献同頁における「表1.8真空バッグ法の概要」の原理の欄の図面を本願の図１として引用するとともに同欄の説明を下記に引用する。
【００１０】
「開放型を用いてハンドレイアップした後、積層体の周囲を掃除し、気密シールを設置する。これを真空ポンプに接続できるフィルムで被い、フィルム内を減圧する。減圧しながら、積層体内の気泡を余剰樹脂とともに追い出し成形する。硬化は常温で行う。強化材の形態はクロスあるいはニットである。」
しかし、上記真空バッグ法は、同文献同頁に記載されている如く、成形速度が遅く、高度の熟練を要するため、大量生産向きではなかった。
【００１１】
また、ＦＲＰのプレス成形法の代表的なものの一つとして、プリフォームマッチドダイ法がある（非特許文献２、p57）。同文献同頁における「表1.14プリフォームマッチドダイ法」の原理の欄の図面を本願の図２として引用するとともに同欄の説明を下記に引用する。
【００１２】
「精密な金型（マッチドメタルダイ）を用いる圧縮成形。加熱（90〜150℃）、加圧（0.5〜4MPa）、硬化（45〜300sec）。型にプリフォームをセットし、この上にコンパウンド（ポリエステル樹脂、着色剤、触媒、充てん剤、離型剤を混合したもの）を供給し、型締め。加圧はプレスで行う。」
しかし、上記マッチドダイ法は、成形時間は短いが、プリフォームに時間がかかるとともに、同文献同頁に記載されている如く、高強度のものを得難かった。
【００１３】
なお、本発明の特許性に影響を与えるものではないが、本発明と同様な目的を有するＦＲＰのプレス成形法として、特許文献１等を挙げることができる。該特許文献１は、特許庁電子図書館公報テキスト検索において「（繊維強化プラスチック OR ＦＲＰ）AND（積層 OR ハンドレイアップ）AND（真空吸引 OR バキューム）and（プレス）」の論理式で検索した結果、ヒットしたもの（1件のみ）である。
【００１４】
更に、本発明の特許性に影響を与えるものではないが、非特許文献３には、ポリエステル含浸ガラスクロスを用いた、金型を使用してプレスによる成型法（成形法）が記載されている。その一部を引用する。なお、＊括弧は、原文になく、理解を容易とするために付記したものである。
「II実験
供用試料
樹脂  ポリライト8009  日本ライヒホールドKK製
ポリライト8150  日本ライヒホールドKK製
エスターX.1      東洋高圧工業KK製
エスターF.20     東洋高圧工業KK製
硝子繊維  ガラスクロスECO181シラン  日東紡績kk
ガラスクロスECO181ボラン  日東紡績kk
触媒  過酸化ベンゾイル（BPO50％ペースト）
ＤＤＭ（M.E.K.P.O.60％）    kk小西儀助商店
促進剤  ナフテン酸コバルト        kk小西儀助商店
１．金型を使用してプレスに依る成型法＊（成形法）
Ａ．積層含浸工程にマングル＊（圧搾ローラ）を使用したる法、
樹脂混合比、ポリライト8009    85部
ポリライト8150    15部
ＤＤＭ（触媒）      1部
ナフテン酸コバルト（促進剤）0.25部
ガラスクロス  ボラン処理        28枚
樹脂中に触媒、促進剤を混合溶解後減圧にして樹脂中の気泡を完全に脱泡して使用す。最初に別個の容器中に於いてガラスクロスに樹脂液を良く含浸せしめてあとマングルにて2枚毎均一に絞って、雌型上に置いてロールにて脱泡し乍ら積層し28枚積層後セロハン紙を被せ雄型を架せて成型プレス＊（成形プレス）に入れる。然る後徐々に加圧して過剰の樹脂を押出し30kg/cm２迄加圧して後徐々に昇温して40℃〜120℃迄40分間にて昇温し硬化する。120℃にて20分加熱後電源を切って後加圧の状態にて80℃迄冷却後型をプレスにより取り出し、室温にて60℃迄徐冷後更に常温迄水冷して金型より成型＊（成形）された積層板を取りはずす。
【００１５】
Ｂ．積層含浸工程にマングルを使用しない法
樹脂配合及び調製法はＡ法に同じ。
【００１６】
バットの中に於いてガラスクロス一枚毎に良く含浸せしめて後金型*（雌型）に積層し乍らロールにて良く脱泡する。然る後雄型を乗せプレスにて成型する。
【００１７】
成型プレス（松田30噸プレス）
プレス圧30kg/cm２、成型温度40℃〜120℃を40分間にて昇温以下Ａ法に同じ。」
しかし、上記成形法も、含浸せしめたガラスクロス（２枚ずつ）のマングルによる絞り出し成形型に置くか、乃至、含浸せしめたガラスクロスを金型にロールで脱泡しながら置いた後、成形するもので、成形工数が全体として嵩んだ。特に、ガラスクロスの枚数が多いと、この成形工数の増大傾向は顕著となる。
【特許文献１】特開2002−248620号公報（特許請求の範囲等）。
【非特許文献１】山本尚樹他3名「ＦＲＰ製歩道橋の主桁継手部に関する解析的評価」石川島播磨技法、2001年橋梁特集号、ｐ73−76。
【非特許文献２】後藤卒土民「わかりやすい実践ＦＲＰ成形」株式会社工業調査会、1998年2月20日、p34、p57。
【非特許文献３】高橋直一他2名「ＦＲＰの厚板積層成型法について」名古屋市工業研究所研究報告No.20、1959年2月10日受理
【発明の開示】
【発明が解決しようとする課題】
【００１８】
本発明は、上記にかんがみて、生産性良好に大量生産可能で、かつ、強度的にも優れたＦＲＰ成形品を成形することができる新規なＦＲＰのプレス成形法を提供することを課題（目的）とする。
【課題を解決するための手段】
【００１９】
本発明者は、上記課題を解決するために鋭意開発に努力をした結果、下記構成のＦＲＰのプレス成形法に想到した。
【００２０】
雌雄型からなる成形型（附形型）を用い、下記工程を経て成形することを特徴とするＦＲＰ(繊維強化プラスチック)型材のＦＲＰプレス成形法。
【００２１】
1)１枚の又は複数枚積層された所定大きさの積層プリプレグ（含浸積層平板）を、予備加熱された前記成形型の雄型又は雌型の一方にセットする。
【００２２】
2)前記成形型を型閉完了前から型内を排気しながら型閉して、気泡を余剰樹脂とともに追い出し附形する。
【００２３】
3)前記成形型を硬化温度まで昇温させて、所定時間保持して硬化完了後、離型する。
【００２４】
上記構成のプレス成形法によるＦＲＰをプレス成形した場合、他の成形法に比して、非常に強度（特に曲げ強度）に優れた成形品を、熟練を要せず、かつ、短時間で得られることを知見した。その理由は、型締め完了前から真空状態とし、かつ、樹脂コンパウンドが流動化可能かつ硬化がほとんど進行しない予備加熱状態（通常、40〜60℃）でプレス附形するためと推定される。すなわち、樹脂コンパウンドの脱気・流動化が促進され、クロスに対してボイドなしで浸透するためである。
【００２５】
結果的にプレス成形（圧縮成形）前の脱泡処理（マングルやロール圧搾）が実質的に不要となり、成形工数の大幅削減が可能となる。
【発明を実施するための最良の形態】
【００２６】
以下、本発明の望ましいＦＲＰの成形法の実施形態について、説明する。なお、配合単位を示す「部」や「％」は、特に断らない限り、質量単位とする。
【００２７】
ここでは、Ｃ型材（溝型材）を成形する場合を例に採り説明するが、他の型材（例えば、帯型材、Ｌ型型材、Ｔ型材）を成形する場合も同様である。
【００２８】
図３〜４にＣ型材１０を成形する場合に使用する雌雄型からなるＦＲＰの成形型（マッチドダイ）の一例を示す。以下、プレス成形法における成形型寸法・運転仕様は、特に断らない限り、Ｃ型材（ＦＲＰ成形品）１０の寸法仕様が、全幅：500〜3000mm、全長：3000〜5000mm、立辺高さ（深さ）：200〜600mmで、一般部肉厚が10〜15mmの場合を基準としてある。このため、成形品の寸法仕様が上記範囲から外れる場合は、それらの範囲は、適宜、変動させることがあり、寸法仕様・運転仕様は上記数値範囲に限定されない。
【００２９】
ここでは、雌型を可動型（上型）１２とし、雄型を固定型（下型）１４としたが、雌雄型の関係を上下逆としてもよい。なお、雌型１２及び雄型１４の附形面近傍には、図示しないが、加熱ヒータ（誘導加熱（ＩＨ）、抵抗加熱）又は熱媒体流路（水蒸気、温水等）が埋設されている。
【００３０】
基本的には、雌雄型１２、１４の周囲型閉じ部（対合わせランド部）１２ａ、１４ａに吸引機構を形成する。吸引機構の構成は、型閉完了前から型内を排気しながら型閉（圧縮成形：プレス成形）できるものであれば特に限定されない。例えば、図３〜４に示す下記のような構成とする。
【００３１】
雌型１２及び雄型１４の周囲型閉じ部（対合わせランド部）１２ａ、１４ａの内側には、それぞれ、ピンチオフ（喰い切り）凸部１６及び樹脂溜り部１８が全周にわたって形成されている。なお、Ｃ型材を成形する場合は、縁喰い切り凸部１６及び樹脂溜り部１８は前後面には必然的ではない。なお、樹脂溜り部１８には、通常、レジントラップと接続した樹脂排出孔を設ける。
【００３２】
ここで、ピンチオフ凸部１６の内側面に形成されるピンチオフの態様は、通常、ピンチオフ長さｈ１（型締め方向）10〜70mm（望ましくは15〜50mm）で、クリアランス0.02〜0.07mm（望ましくは0.03〜0.05mm）とする。ピンチオフ長さが短すぎても長すぎても、クリアランスが大きすぎても小さすぎてもピンチオフ性が低下する。さらに、クリアランスが小さすぎると金型製作コストが嵩む。
【００３３】
そして、樹脂溜り１８の外側部位とピンチオフ凸部１６の外周面との間に下記構成の吸引機構が形成されている。
【００３４】
雄型１４の対合せランド部１４ａの直下に、補助ブロック２０が配され、該補助ブロック２０を貫通して吸引孔群２２・・・が所定ピッチで全周に形成されている。該吸引孔群２２・・・は、マニホールド的に集合されて、真空吸引装置（コンプレッサー：図示せず。）に接続されている。なお、補助ブロック２０は、雄型１４と一体でも良く、更には、ブロックでなくても、シール構造を形成可能で有れば、板材（ブラケット）であってもよい。
【００３５】
そして、補助ブロック２０には、環状の立設シール部材２４がアングル材２６を介して保持されている。
【００３６】
そして、該立設シール部材２４の内側面（圧接シール面）２４ａが、前記ピンチオフ凸部１６の外周面（受けシール面）１６ａに圧接して、型閉じ完了前から図３に示す如く、型内をシールして減圧とすることが可能となっている。
【００３７】
ここで、ピンチオフ凸部１６の外周面の下端側は、円滑にシールされるように、傾斜面とされている。なお、傾斜面１６ａの傾斜程度は、シール対向面との間にカジリが発生しないものとする。そして、立設シール部材２４の高さは、前記寸法仕様のＣ型材１０の場合、シール開始から型締め完了までのスパン（移動量）を10〜70mm確保できるもの、通常、25〜60mmとする。型内が減圧となるため、シール部材はピンチオフ凸部１６の外周面に圧接方向に作用する。このため、シール部材２４の厚みは、シール部材の高さによるが、一般的な形態保持性を有すればよく、1〜15mm（望ましくは2〜5mm）の範囲で適宜選定する。
【００３８】
また、シール部材２４の形成材料は、耐熱性とゴム状弾性を有するものなら特に限定されない。例えば、シリコーンゴムの硬度50〜80（JIS K 653:タイプAデュロメータ）のものを好適に使用できる。
【００３９】
そして、Ｃ型材の断面形状は、Ｃ型材１０の底辺が中心線に向かって内側へ突出するように傾斜させた断面で附形しておき、離型直後に前記傾斜を戻して抜き勾配を補完して前記Ｃ型材の底辺とその両側の立辺とが直角となるようなものとしてある。
【００４０】
すなわち、離型のために、通常、Ｃ型材１０の両側立辺１０ａ、１０ａは、抜き勾配が3°以上（通常、3〜5°）とされ、これに対応して底辺１０ｂが両側で両側辺１０ａ、１０ａと90°の交差角度をなすように、中心部に向かって、傾斜させる。なお、底辺１０ｂと両側辺１０ａ、１０ａとの稜線部のＲは、成形品の肉厚により異なるが、成形品の肉厚を10mmに設定した場合、外側30Ｒ前後、内側20Ｒ前後に設定する。
【００４１】
このようにプレス成形したＣ型材１０は、成形直後に、冷却治具（両側辺スパンを成形型と同一長さとし、かつ、厚みも同一としたもの。）、冷却水等を用いて底辺を直線状に戻すことにより、底辺強度が増大する。底辺が幅方向で圧縮荷重を受けながら冷却固化（後収縮）するためである。
【００４２】
さらに、前記Ｃ型材１０は、その立辺（両側辺）１０ａの端部が抜き勾配以上に外側へ傾斜して附形された端末傾斜部１０ｃを有する断面形状とすることが望ましい。該傾斜部１０ｃの長さ（高さ）は、立辺高さの1/10前後、例えば30〜60mmとする。そして、端末傾斜部１０ｃは、抜き勾配プラス（＋）2〜5°とする。
【００４３】
このように形成した端末傾斜部１０ｃは、該Ｃ型材１０を強化構造組体（図８〜１０参照）の一要素として他の要素の型材に機械的結合をさせたとき、強化構造組体の強度の増大が期待できる。すなわち、該端末傾斜部１０ｃが機械結合（ボルトナット又はリベット）により組み付けられるとき、前記端末傾斜部１０ｃが反転して該Ｃ型材１０の両側立辺１０ａ、１０ａが前記他の要素の面状部に圧接するためである。
【００４４】
次に、上記成形型を使用して、Ｃ型材１０を成形する場合を例に採り説明する。
【００４５】
先ず、工場内で、プリプレグ（通常、積層体）３０を減圧下で調製するためのプリプレグ調製装置３２（図５・６）と、調製したプリプレグ３０を減圧下で型成形可能な成形プレス装置３４（図７）とを準備する。そして、通常、プリプレグ調製装置３２と、プレス成形を行う成形プレス装置３４との間に、両者間を搬送する搬送手段３５が配されている。
【００４６】
そして、プリプレグ調製装置３２は、加熱減圧炉３３と、該加熱減圧炉３３内に配される、ガラスクロスＧのクロス供給ロール３６と、樹脂流下ドラム３８と、対向して積層されたガラスクロスＧを支持する分割支持板４０、４０とを備えている。なお、プリプレグ調製装置３２は、プリプレグ調製を加熱減圧炉３３内で全自動により行えるようになっている。このため、クロス原反をセットしたり、樹脂を投入したり、積層プリプレグを搬出したりするロボット（図示せず）を備えている。さらに、プリプレグ調製を全自動で行う際の監視のために、強化ガラスで形成された密閉扉３３ａ、３３ａを備えている。
【００４７】
ここで、クロス供給ロール３６は、長手方向に往復移動可能とされている。そして、供給ロール３６の移動スパンＳの両端（死点）内側に一対の裁断刃４２、４２が配されている。
【００４８】
また、樹脂流下ドラム３８は、下端に開閉可能な流下ノズル（スリット状の）３８ａを備えるとともに、供給ロール３６と同様、長手方向に往復移動可能とされている。
【００４９】
これらの供給ロール３６及び樹脂流下ドラム３８の往復移動は、汎用の搬送手段（例えば、レールやチェーン）により行う。
【００５０】
また、成形プレス装置３４は、プレス盤４４下側の金型設置室４６が減圧且つ加熱可能なように減圧密閉室とされている。
【００５１】
該金型設置室４６は、前記プリプレグ調製装置３２で調製した積層プリプレグ３０を、該金型設置室４６へ分割支持板４０、４０により搬送し、分割支持板４０、４０を水平幅方向で開閉できるように、両側に密閉扉４６ａ、４６ａを備えている。
【００５２】
次に、上記プリプレグ調製装置３２を使用しての、積層プリプレグ３０の調製方法を説明する。
【００５３】
先ず、クロス供給ロール３６にクロス（原反）Ｇをセットするとともに、樹脂流下ドラム３８に含浸樹脂を投入する。
【００５４】
クロスは、通常、ガラ積層したロービングクロスの両面に朱子織りクロスを積層する態様とする。ガラス繊維（ＧＦ）又は炭素繊維（ＣＦ）のクロスとするが、他の、無機繊維製、合成繊維製のクロスであってもよい。また、それらの積層組合わせは、強度が要求される場合は、中心側をＣＦクロスとし外側をＧＦクロスとすることが望ましい。
【００５５】
また樹脂流下ドラム３８に供給する含浸樹脂は、通常、熱硬化型のポリエステル、フェノール、エポキシ樹脂等とする。
【００５６】
例えば、ポリエステル樹脂を加熱プレス成形する場合、不飽和ポリエステルに、触媒（有機過酸化物）、を適宜添加して、硬化速度を調節したものを使用できる。配合処方としては、本発明の目的を達成できるものなら、特に限定されず、例えば、前述の非特許文献３に記載のものを使用できる。
【００５７】
そして、加熱減圧炉３３の炉内温度を、成形型の予備加熱温度近くの温度に調節するとともに、軽く減圧とする。通常、炉内温度：30〜40℃とし、減圧度は、80〜90kPa（絶対圧）とする。温度が高すぎると、樹脂硬化が進むおそれがあり、逆に、温度が低すぎると、樹脂硬化がＢステージまで進み難く、積層プリプレグ３０を得難い。
【００５８】
また、減圧度が弱いとガラスクロスＧに対する樹脂含浸量を確保し難く、減圧度が強いと、加熱減圧炉３３のシール構造を厳格なものにする必要がありコスト高になる。
【００５９】
そして、供給ロール３６を往復移動の各死点間を往復移動させ、各死点位置で裁断刃４２を作動させる。
【００６０】
すると、ガラスクロスＧが裁断されて所定長の裁断クロスＧ１が分割支持板４０の上に落下して、順次積層されていく。なお、積層枚数は、通常、10〜30枚とする。
【００６１】
そして、裁断クロスＧ１を複数枚（例えば、ロービングクロス3〜20枚）積層する毎に、樹脂流下ドラム３８を、樹脂流下量を調節しながら、各死点間を片道移動又は往復移動させる。すると、積層されたガラスクロス上に流下した樹脂は積層クロスの下側まで浸透した後、Ｂステージまで硬化が進行して、順次、積層接着されていく。適宜、2〜3枚ずつ積層後、ローラ（マングル）で余分な樹脂を絞り出しておくことが望ましい。
【００６２】
このときの樹脂含浸量は、例えば、ガラスクロスの場合、ガラスクロス100部に対して40〜100部、望ましくは50〜60部とする。
【００６３】
こうして調製された積層プリプレグ３０は、加熱減圧炉３３の密閉扉３３ａを開くとともに、金型設置室４６の密閉扉４６ａ、４６ａを開く。この状態で、分割支持板４０、４０を適当な搬送手段により、金型設置室４６のプレス装置３４の雌雄型１２、１４の間（雄型１４の上方）へ搬送する。
【００６４】
続いて、分割支持板４０、４０を左右に開く。すると、積層プリプレグ３０は、雄型（下型）１４上に落下する。
【００６５】
分割支持板４０、４０を閉じ、プリプレグ調製装置３２へ搬送手段を介して戻す。
【００６６】
続いて、密閉扉４６ａ、４６ａを閉じて、金型設置室を、プリプレグ調製装置３２の加熱減圧炉と同様、軽い減圧状態（例えば、80〜90KPa）とするとともに微温雰囲気（30〜40℃）に保持する。
【００６７】
この状態で金型に付設されている減圧装置を作動させながら、型締めを行う。このときの金型温度は、クロス繊維の種類及び／又は樹脂の種類によるが、60〜100℃に誘導加熱で調節する。また、金型内の真空度（減圧度：絶対圧）は、1〜70kPa、望ましくは20〜60kPaとする。
【００６８】
また、圧縮量は、型材の大きさ及び／又は要求強度により異なる。例えば、厚み10mmの型材を成形する場合、積層厚さ15mmとする。
【００６９】
すると、積層プリプレグ３０は加熱されて軟化しながら雌雄型１２、１４間で附形圧縮（プレス成形）される。すると、プリプレグは附形圧縮と同時に、型閉完了前から真空吸引されることにより、プリプレグ内のボイドが全面から円滑に排出されるとともに、余剰樹脂も円滑に排出される。
【００７０】
このとき、使用する成形プレスは、型締め圧約5〜6MPa（50〜60kgf/cm２）を確保できるものとする。例えば、全幅500〜3000mm、全長3000〜5000mmの型材を成形しようとする場合、例えば、3000ｔプレスを使用する。
【００７１】
したがって、表面が滑らかで且つ寸法精度とともに、強度的にも優れたＦＲＰ型材（Ｃ型材）を、生産性良好に得ることができる。
【００７２】
ＦＲＰ型材のプレス成形は、原則的に全自動で行うようにしておけば、作業環境の見地からも望ましい。ガラス繊維等の浮遊環境下に作業員が晒される機会が可及的に少なくなるためである。
【００７３】
こうして調製したＦＲＰ型材は、例えば、下記のようなＦＲＰの強化構造組体とすることができる（図８〜１３参照）。
【００７４】
基本的には、ＦＲＰのプレス成形法で成形したＣ型材１０、１０を、底辺１０ｂ側で背中合わせとして機械結合（通常、ボルトナット又はリベット）により組み付けて形成する。こうして、Ｈ型材５２を形成することが可能である。
【００７５】
なお、機械的結合するための、ボルト孔やリベット孔は、ウォータドリルで予め又は現場で開ける。また、Ｃ型材以外の各型材もＣ型材と同様に、上記プレス成形法で成形をしておく。
【００７６】
ここで、前記背中合わせに配されたＣ型材１０の両側立辺１０ａ、１０ａ相互を帯状型材５４で覆って組み付けることが、さらには、Ｃ型材１０、１０の背中合わせの間には、同様にプレス成形した帯状芯材５６を介在させ、さらに、各型材の当接面相互間に、適宜、接着剤層７６を介在させることが、強度的見地から望ましい。ここで、接着剤層７６は、エポキシ等の汎用接着剤を使用してもよいが、プリプレグ（クロス含浸積層体）を使用することが、構造材の強度をさらに増大でき望ましい。
【００７７】
このとき、プリプレグのクロスは、前述の平織、朱子織、ロービングクロスを問わず、それらを適宜組み合わせることができる。朱子織とロービングクロスを組み合わせる場合、例えば、相対的に厚いロービングクロス（約0.6ｍｍｔ）5〜6枚を中間に薄い朱子織（約0.2〜0.6ｍｍｔ）を両面に配して、7ｍｍｔ前後とする。
【００７８】
クロス形成繊維も、前述のガラス繊維を通常用いるが、大きな強度が要求される場合は、ガラス繊維の一部又は全部を炭素繊維に置換してもよい。特に、中間部クロスを炭素繊維とすることが望ましい。
【００７９】
そして、帯型材５４は、必然的ではないが、両側縁に補強リブ５４ａ、５４ａを備えている。該補強リブ５４ａの高さは、Ｃ型材の肉厚と略同一とする。
【００８０】
更に、Ｈ型構造材５２を連結する場合は、図８に示す如く、Ｌ形当て板５８を前後に当てて挟持させながら、ボルト／ナット（スプリングワッシャ付き）で締め付けながら結合させていく。
【００８１】
また、Ｈ型材相互を45°交差させて組み付ける場合は、ウォータカッターで接合部５２ａを切り欠いて、組み付け後、Ｌ形当て板６０を前後・左右から当てて、同様に、ボルト／ナット（スプリングワッシャ付き）で締め付け固定する。
【００８２】
こうして順次組み付けていけば、橋梁等の（強化）構造組体を形成することができる。
【００８３】
なお、構造材として長尺のもので、且つ、連結強度が要求される場合は、運搬が困難乃至不可能であるため、各型材の組み付けを5ｍ立方の加熱炉をトラックに載せておいて現地まで運び、各型材を、前述の帯状芯材５６をずらして連結部５６ａを形成しながら、現場組み立て・結合して製造することが望ましい。含浸樹脂は、前述と同様、例えば、ポリエステルとする。
【００８４】
以下に、その連結態様を、図１０〜１２に基づいて説明する。なお、図１０は、アーチ状の連結構造材を製造する場合の、始端構造材（第一構造材）５２Ａに第二構造材５２Ｂを接続し終えた状態の正面図である。このとき、各構造材５２Ａ、５２Ｂの長さは、例えば、3〜7ｍとする。
【００８５】
各型材を現場に持ち込み、現場施工する。その際、帯状芯材は、始端構造材用の長帯状芯材５６Ａを用意する（図１０参照）。なお、終端構造材用の短帯状芯材も必要であるが、中間帯状芯材を切断して用意すればよい。
【００８６】
このとき、長帯状芯材と中間帯状芯材との長さの差Ｌは、要求される接続強度にもよるが、通常、500〜1500ｍｍの範囲から適宜設定する。
【００８７】
なお、始端構造材（第一構造材）５２Ａは、予め、工場で型成形しておく。
【００８８】
図１１に構造材連結兼成形用のプレス型の一例を示す。このプレス型は、連結方向に伸びる四方プレス型６２である。なお、前後方向も別の前・後型として、図１２・１３に示すように合せ面で真空引きできるようにしておくことが望ましい。
【００８９】
該四方プレス型６２は、上下型６４、６４Ａと左右型６６、６６Ａとからなり、型締めは油圧ジャッキ（図示せず）により行うことができる。
【００９０】
そして、型プレス成形が容易なように、上下型６４、６４Ａと左右型の各接合部には、長手方向に伸びる４個の真空室６８が形成されている。なお、６９は、各真空室を、型閉時、気密を保持するための真空室用の耐熱パッキンである。
【００９１】
そして、各型の連結方向の導入側には、図１２に示す如く、成形後の構造材（第一構造材）５２Ａを保持可能な構造保持隙間７０を備え、該保持隙間７０の構造材導入側にはＨ型構造材の断面全周に亘り、導入側用耐熱パッキン７２が４個配されて、気密可能とされている（図１１の二点鎖線）。他方の導出側には、図１３に示す如く、帯状芯材５６の突出部（接続部）５６ａを保持可能な芯材保持隙間７４を備え、該芯材保持隙間７４の芯材導出側には導出側用耐熱パッキン７２、７２が配されている。
【００９２】
なお、各真空室６８には、所定ピッチで吸引ノズル７８が上下型６４、６４Ａにそれぞれ複数個配されている。
【００９３】
上記四方プレス型を用いて順次、開き状態の四方プレス型６２の導入側に成形後構造材５６の端部をセットすると共に、各型材及びその間にプリプレグ（積層接着剤）７６をセットし、型閉じして、吸引しながら順次加温プレス成形して接続していく。
【００９４】
このとき、四方プレス型は空洞型とし、該空洞型の附形壁面の裏面には多数本の部分的にオンオフ制御可能なシーズドヒータを伝熱セメント等により配設して、温調可能とする。また、型締めは、機械式、油圧式又はそれらの併用等任意である。各四方プレス型における上型ないし左右型はガイドポストを介しての昇降可能ないし左右動可能としておく。
【００９５】
真空吸引しながら加温プレス成形することにより、前述と同様、金型温度を余り上げなくても、直線状接続は勿論、アーチ状接続も可能となり、全長10〜50ｍ、場合によっては100ｍ近くまでの連続構造体を製造可能となる。
【００９６】
なお、このときの減圧度及び型締め圧は、それぞれ、前述の型材の場合の減圧度・型締め圧は必要ではない。例えば、減圧度はコンプレッサーで得られる真空度でよく、通常、50〜200mmHg（6.65〜22.66kPa）の範囲から適宜設定する。また、型締め圧は0.1〜1kgf／cm２（9.8〜98kPa）とする。
【００９７】
また、型締めは、油圧ジャッキや爪ジャッキを適宜組み合わせて行う。
【００９８】
より具体的には、必然的ではないが、下記の如く行う。
【００９９】
夏季晴天時には外で、それ以外のときは30〜40℃に保持した準備室で各型材にクロスを積層して樹脂を含浸させローラ（マングル）で絞り出して、各型材の片面又は型材が芯材の場合は両面に接着剤層となる積層プリプレグを調製する。なお、この積層プリプレグの型材への形成は、工場内で行っておいてもよい。
【０１００】
その後、前記四方プレス型にセットし、金型温度70〜110℃に型内を真空吸引して前記真空度に維持して所定時間保持（10〜30min）した後、離型して、治具で所定直線又はアーチ形状に保持する。そして、冷水（例えば、5℃以下）又は冷風で形状セット（固定）されるまで冷却し、さらに、110℃前後で、3〜12ｈ程度、後硬化（アフターキュア）させる。
【０１０１】
そして、図１０に示す如く、帯状芯材５６の突出部位５６ａでボルト／ナット８２により締結して、構造材相互の連結を完了する。
【実施例】
【０１０２】
以下、本発明の効果を確認するために型成形した実施例について述べる。
【０１０３】
使用材料は、それぞれ、下記の仕様のものとした。
【０１０４】
＜含浸樹脂＞
不飽和ポリエステル樹脂        100部
（「サンドーマ  XO-PS-08-1」ＤＨマテリアル（株）社商品名）
触媒（B.P.O.50%）              2.5部
炭酸カルシウム                  20部
＜ガラスクロス＞
ガラス繊維製のロービングクロス（目付580g/m2、シリカ処理）：130×270mmに裁断したもの１１枚と、両面に同朱子織（目付181g/m2、シリカ処理）：130×270mmに裁断したもの２枚。
【０１０５】
＜成型プレス＞
30ｔプレスを減圧加熱炉内に置き、立設シール部材（3mmｔ×30mmｈ）を型開き量15mmでシール開始するように組み付けた成形型にセットしたもの。
【０１０６】
まず、35℃の減圧雰囲気下（10kPa）で、前記クロスを4枚ずつ積層した状態で樹脂を流下塗布する工程を5回繰り返して、積層枚数20枚のプリプレグを調製した。そのときの、樹脂含浸量は、クロス100部に対して55部とした。
【０１０７】
こうして、調製したプリプレグを、下記型閉圧：6MPa（60kgf／cm２)、型温度：110℃×30min、到達減圧度：40kPa×30minの条件で成形を行った。
【０１０８】
こうして成形した成形品（130×270×10mm）について、曲げ強度試験（JIS K 7017）(材料クラスII)を行った。その結果は、18.13MPa（185kgf／mm２）であり、十分な強度を有することが確認できた。
【図面の簡単な説明】
【０１０９】
【図１】非特許文献２における真空バッグ法の概要を説明した表1.8に記載された原理図である。
【図２】同じくプリフォームマッチドダイの概要を説明した表1.14に記載された原理図である。
【図３】本発明のＦＲＰのプレス成形法に使用する金型の一例を示す概略断面図である。
【図４】図３の４−４線断面図である。
【図５】本発明のＦＲＰのプレス成形法に使用するのに好適なプリプレグ調製装置の概略モデル断面図である。
【図６】図５の６−６線断面図である。
【図７】本発明のプレス成形法における成形プレス装置の雌雄型間へのプリプレグ供給態様を示す概略モデル断面図である。
【図８】本発明のＦＲＰのプレス成形法で得たＦＲＰ型材を使用しての強化構造組体の一例を示す部分斜視図である。
【図９】図８の９−９線断面図である。
【図１０】本発明の連結構造材の途中段階を示す正面図である。
【図１１】本発明の連結構造材の製造に使用する四方プレス型の断面図である。
【図１２】同じく成形後構造材導入側の部分断面図である。
【図１３】同じく芯材導出側の部分断面図である。
【符号の説明】
【０１１０】
１２    雌型（上型：可動型）
１４    雄型（下型：固定型）
３０    プリプレグ
【図１】
2009292054.tif 000003
【図２】
2009292054.tif 000004
【図３】
2009292054.tif 000005
【図４】
2009292054.tif 000006
【図５】
2009292054.tif 000007
【図６】
2009292054.tif 000008
【図７】
2009292054.tif 000009
【図８】
2009292054.tif 000010
【図９】
2009292054.tif 000011
【図１０】
2009292054.tif 000012
【図１１】
2009292054.tif 000013
【図１２】
2009292054.tif 000014
【図１３】
2009292054.tif 000015